(57)【要約】【課題】移動する引戸の移動速度を低下する機能と、閉鎖時の引戸の跳ね返りを抑制する機能を兼ね備える新規な引戸の移動抑制機構を提案する。【解決手段】一端が固定され、他端が固定されない自由端５６となるように設置され、引戸３の一部である戸車３８に接触して弾発力を発生する移動抑制部材５２と、引戸３の一部である戸車３８が接触して移動抑制部材５２が変形した際に、移動抑制部材５２の自由端５６と接触する受け部５３ｂと、を有する、引戸３の移動抑制機構５とする。【選択図】図５
2015132095.tif 000002
【特許請求の範囲】
【請求項１】
一端が固定され、他端が固定されない自由端となるように設置され、引戸の一部に接触して弾発力を発生する移動抑制部材と、
前記引戸の一部が接触して前記移動抑制部材が変形した際に、前記移動抑制部材の前記自由端と接触する受け部と、を有する、
引戸の移動抑制機構。
【請求項２】
前記移動抑制部材は、台座部材の台座側固定部に固定されるものであり、
前記台座部材には、前記台座側固定部とスペースを空けて受け部が設けられており、
前記移動抑制部材が前記引戸の一部に当って変形した際に、前記移動抑制部材の一部が前記スペースに進入し得る構成とする、
ことを特徴とする請求項１に記載の引戸の移動抑制機構。
【請求項３】
前記台座部材の前記台座側固定部と前記受け部は、引戸の移動方向において対称に構成されており、
前記移動抑制部材は前記台座側固定部と前記受け部のいずれか一方に固定可能であり、
前記移動抑制部材の前記自由端は、前記移動抑制部材が固定されていない前記台座側固定部又は受け部に対して当接可能に構成される、
ことを特徴とする請求項２に記載の引戸の移動抑制機構。
【発明の詳細な説明】
【技術分野】
【０００１】
本発明は、スライド移動する引戸の移動速度を低下する機能と、枠体にあたった引戸の跳ね返りを抑制する機能と、を兼ね備える引戸の移動抑制機構に関する。
【背景技術】
【０００２】
従来、引戸の閉鎖される際において、引戸が開口部縦枠に当った反動（ぶつかった反動）で跳ね返ることを防止するために、引戸の跳ね返りを防止する技術が知られている。
【０００３】
例えば、特許文献１では、戸当りとしての機能と、跳ね返りを防止する機能を有する引戸用ストッパーについて開示している。跳ね返りを防止するための構造として、主弾性片と副弾性片とを二枚合わせた構成とし、副弾性片の固定位置を調整することで、跳ね返りを防止する力を調整できることとしている。また、戸当りゴムによって、スライド移動してきた引戸を停止させるといった戸当りの機能を発揮させる構成となっている。
【先行技術文献】
【特許文献】
【０００４】
【特許文献１】特開平９−１８９１６８号公報
【発明の概要】
【発明が解決しようとする課題】
【０００５】
しかしながら、特許文献１に開示される構成では、跳ね返りを防止するための機能を果すための弾性片の構成と、戸当りのための戸当りゴムをそれぞれ設ける必要があり、素材の異なる部材を準備する必要や、製造コストが嵩むといった課題がある。
【０００６】
また、引戸の移動規制は、戸車を戸当りゴムにぶつけることで行われるため、戸当りゴムの経年劣化や、衝突による変形により戸当りゴムの機能が低下し、跳ね返りが顕著になって、弾性片だけでは跳ね返りを抑制できないといった事態も生じてしまうことになる。
【０００７】
さらに、弾性片の先端部が自由端となっており、先端部と接触する部位が存在しないため、弾性片が一方向に撓み続けることになってしまう。そしてたわみが残存することになると、戸車との接触位置が次第にずれることになり、戸体の跳ね返りを十分に防止できなくなることが懸念される。
【０００８】
そこで、本発明は以上の問題点に鑑み、移動する引戸の移動速度を低下する機能と、閉鎖時の引戸の跳ね返りを抑制する機能を兼ね備える新規な引戸の移動抑制機構を提案するものである。
【課題を解決するための手段】
【０００９】
本発明の解決しようとする課題は以上の如くであり、次にこの課題を解決するための手段を説明する。
【００１０】
即ち、請求項１に記載のごとく、
一端が固定され、他端が固定されない自由端となるように設置され、引戸の一部に接触して弾発力を発生する移動抑制部材と、
前記引戸の一部が接触して前記移動抑制部材が変形した際に、前記移動抑制部材の前記自由端と接触する受け部と、を有する、
引戸の移動抑制機構とする。
【００１１】
また、請求項２に記載のごとく、
前記移動抑制部材は、台座部材の台座側固定部に固定されるものであり、
前記台座部材には、前記台座側固定部とスペースを空けて受け部が設けられており、
前記移動抑制部材が前記引戸の一部に当って変形した際に、前記移動抑制部材の一部が前記スペースに進入し得る構成とする。
【００１２】
また、請求項３に記載のごとく、
前記台座部材の前記台座側固定部と前記受け部は、引戸の移動方向において対称に構成されており、
前記移動抑制部材は前記台座側固定部と前記受け部のいずれか一方に固定可能であり、
前記移動抑制部材の前記自由端は、前記移動抑制部材が固定されていない前記台座側固定部又は受け部に対して当接可能に構成される、こととする。
【発明の効果】
【００１３】
本発明の効果として、以下に示すような効果を奏する。
【００１４】
即ち、請求項１に記載の発明においては、移動する引戸の移動速度を低下する機能と、閉鎖時の引戸の跳ね返りを抑制する機能を兼ね備える移動抑制機構を実現することができ、製造コストが安価で、ゴムなどと比較して長期間の耐用期間も実現され、さらに、移動抑制部材が受け部で抑えられることで一方向に変形し続けてしまうことを防止できる。
【００１５】
また、請求項２に記載の発明においては、台座部材について、台座側固定部と受け部の機能を持たせることができるとともに、移動抑制部材の変形が妨げられることがなく、移動抑制部材の弾発力を十分に発揮させることができる。
【００１６】
また、請求項３に記載の発明においては、移動抑制部材は適宜向きを変えて設置することができ、閉じる方向が異なるように設置される二つの引戸について、共通の部品で対応することができる。
【図面の簡単な説明】
【００１７】
【図１】本発明を適用する開口部装置の構成例について示す図である。
【図２】引戸の移動抑制機構の詳細について示す正面図である。
【図３】引戸の移動抑制機構の詳細について示す側面断面図である。
【図４】（Ａ）は移動抑制機構の一実施形態について示す図である。（Ｂ）は移動抑制部材の設置向きを逆にした実施形態について示す図である。（Ｃ）は移動抑制部材と台座部材の平面図である。
【図５】（Ａ）は引戸の閉鎖時の情況について示す図である。（Ｂ）は移動速度を低下する機能が発揮される様子について示す図である。（Ｃ）は戸車が第二屈折部を超える様子について示す図である。（Ｄ）は引戸の跳ね返りを防止する機能が発揮される様子について示す図である。
【発明を実施するための形態】
【００１８】
図１は、本発明が適用可能な開口部装置１の全体構造を示すものである。開口部装置１は、開口部枠２と、スライド可能な複数枚の引戸３を有している。
【００１９】
開口部枠２は、左右にそれぞれ縦方向に配置される縦枠２１，２２と、上部に横方向に配置される上枠２３と、を有して構成されている。上枠２３の見付面には、無目カバー７が設置されている。
【００２０】
引戸３は、縦枠（縦框）３１，３２、上枠（上框）３３、下枠（下框）３４を枠組み（框組み）してガラス板などの面材３０を取り囲んで構成される。なお、引戸３は、框戸で構成するほか、面材そのものを戸体とすることも考えられる。また、本実施例の引戸３は、戸車３８によって吊り下げられた状態で設置される吊戸として構成されている。
【００２１】
引戸３の上枠３３には戸車３８が設けられ、この戸車３８が上枠２３に設けたレール上に配置されつつガイドされることで、引戸３の上部が上枠３３によってガイドされる。
【００２２】
開口部装置１の上枠３３には、引戸３の移動抑制機構５が設けられる。この移動抑制機構５は、引戸３の移動速度を低下する機能と、枠体（縦枠３１）に当たった引戸３の跳ね返りを抑制する機能と、を有するものである。
【００２３】
なお、本実施例では複数枚（２枚）の引戸３と袖壁４（ＦＩＸ窓）を備える構成としているが、引き違いの２枚の引戸を有する構成などについても本発明を適用することができる。
【００２４】
図２及び図３は、引戸の移動抑制機構５の詳細について示す図である。
移動抑制機構５は、一端が固定され、他端が固定されない自由端５６として設置され、引戸３の一部である戸車３８に接触する接触部（第一接触部５２ｂ、第二接触部５２ｃ）を有する移動抑制部材５２と、戸車３８が接触部（第一接触部５２ｂ、第二接触部５２ｃ）と接触して移動抑制部材５２が変形した際に、移動抑制部材５２の自由端５６と接触する受け部５３ｂと、を有する構成としている。
【００２５】
以下詳述すると、図２及び図３に示すごとく、引戸３の上部には戸車３８が設けられており、戸車３８が開口部枠の上枠２３のレール２３ａ上を移動するように設置されている。
【００２６】
そして、開口部枠の上枠２３において、レール２３ａの上方となる位置に、移動抑制機構５の移動抑制部材５２が設けられている。移動抑制部材５２の素材は、特に限定されるものではないが、金属や樹脂を素材とする板状の弾性部材にて構成することができる。
【００２７】
移動抑制部材５２は、設置された状態で略水平に配置される固定部５２ａと、固定部５２ａの一端から斜め下方に延伸される第一接触部５２ｂと、第一接触部５２ｂの一端から斜め上方に延伸される第二接触部５２ｃと、を有して構成される。固定部５２ａと第一接触部５２ｂの境界部には第一屈折部５２ｆが形成され、第一接触部５２ｂと第二接触部５２ｃの境界部には第二屈折部５２ｇが形成される。
【００２８】
移動抑制部材５２の固定部５２ａは、開口部枠２の上枠２３に設置される台座部材５３の台座側固定部５３ａに固定される。なお、本実施例のように台座部材５３を上枠２３と別体で設ける構成とするほか、台座部材５３の構成が上枠２３に一体的に形成されるものであってもよい。
【００２９】
台座部材５３には、台座側固定部５３ａのほかに、受け部５３ｂが設けられている。受け部５３ｂは、移動抑制部材５２の第二接触部５２ｃと間隔を空けるように設けられている。さらに、受け部５３ｂは、移動抑制部材５２が変形して撓んだ際に、第二接触部５２ｃの先端の自由端５６が接触するように設けられている。
【００３０】
本実施例の台座部材５３は板部材を曲げ加工することで構成されており、開口部枠の上枠２３の壁面２３ｂに固定される固定面部５３ｃの上端部には、水平板状の台座側固定部５３ａと受け部５３ｂが形成される。
【００３１】
また、台座側固定部５３ａと受け部５３ｂは間隔を空けて配置され、両者の間にはスペース５３ｄ（図４（Ｃ）も参照）が形成されるようになっている。このスペース５３ｄにより、移動抑制部材５２が変形して撓んだ際に、第一屈折部５２ｆをスペース５３ｄ内に入り込ませて逃がす構成が実現できる。
【００３２】
また、本実施例では、台座側固定部５３ａと受け部５３ｂは同一の構成としており、図４（Ａ）（Ｂ）に示すように、移動抑制部材５２の固定部５２ａを固定する対象を台座側固定部５３ａと受け部５３ｂのいずれか一方を選択することで、移動抑制部材５２の向きを変えて設置することができ、移動抑制機構５を左右兼用の構成とすることができる。つまり、図１の構成では、引戸３が左側から右側に移動して通路が形成される「左開き」の構成（袖壁４が右側）において本発明を適用したものであるが、この逆の「右開き」の構成（袖壁４が左側）においても同一の構造で対応することができ、「左開き」と「右開き」のいずれの構成において共通の移動抑制機構５を用いることができる。
【００３３】
また、図４（Ｃ）は、移動抑制部材５２と台座部材５３の平面図を示すものであり、移動抑制機構５の固定部５２ａについては、奥行き方向Ｄに異なる位置に固定用孔５２ｋを設け、移動抑制部材５２の向きを変えて固定する際の奥行き方向Ｄの取り付け位置を規定の位置に設定できるようにしてもよい。台座側固定部５３ａと受け部５３ｂには、固定用孔５２ｋに対応させるように固定用孔５３ｋが設けられることとしている。
【００３４】
次に、移動抑制機構５の作用について図５（Ａ）〜（Ｄ）を用いて説明する。
図５（Ａ）に示すごとく、引戸の閉鎖時には、戸車３８が移動抑制部材５２の第一接触部５２ｂに向かって移動される。そして、図５（Ｂ）に示すように、戸車３８が第一接触部５２ｂに接触することで移動抑制部材５２が撓んで変形する。この際、第二接触部５２ｃの先端の自由端５６が受け部５３ｂに当接することで、自由端５６の移動が規制される。
【００３５】
このように移動抑制部材５２が撓むことで、戸車３８と移動抑制部材５２の接触により生じる衝撃が緩衝されるとともに、戸車３８の移動速度を低下させることができ、図１に示す構成において、引戸３の縦枠３１が開口部枠の縦枠２１に勢いよく当たらないようにすることができる。
【００３６】
また、図５（Ｂ）に示すように、自由端５６が受け部５３ｂに当接して移動が規制されることで、移動抑制部材５２の弾性変形に伴って生じる弾発力（反力）を大きく確保することができ、戸車３８の移動速度を確実に低下させることができる。
【００３７】
そして、図５（Ｃ）に示すように、戸車３８がさらに移動して第二屈折部５２ｇの位置を超えるとともに、図１に示すように、引戸３の縦枠３１を開口部枠２の縦枠２１に当接させることで、引戸３を締め切ることができる。
【００３８】
ここで、図１に示される引戸３の縦枠３１が開口部枠２の縦枠２１に強く当たり、図５（Ｄ）に示すごとく、反動で引戸が跳ね返ろうとした際には、戸車３８が移動抑制部材５２の第二接触部５２ｃに接触することで、戸車３８の移動（引戸が開く方向への移動）が抑制され、引戸の大きな跳ね返りを防止することができる。
【００３９】
また、この際、自由端５６が受け部５３ｂに当接することで、自由端５６の移動が規制される。これにより、移動抑制部材５２の弾性変形に伴って生じる弾発力（反力）を大きく確保することができ、戸車３８を第二接触部５２ｃにて確実に受け止めることができるようになり、引戸の跳ね返りを確実に防止することができる。
【００４０】
さらに、図５（Ｂ）（Ｄ）に示されるように、移動抑制部材５２が変形して撓んだ際には、第一屈折部５２ｆがスペース５３ｄ内に入り込んで逃がされる構成としている。
【００４１】
これにより、第一屈折部５２ｆが支点（固定される部位）として機能することがなく、固定部５２ａを支点とする腕の長さが長い板状バネ（弾性体）として機能させることができ、移動抑制部材５２の弾発力を確実に発揮することができる。なお、仮に、スペース５３ｄが確保されないとすると、移動抑制部材５２の撓み量が少なくなり、弾発力が発揮されないものとなってしまう。
【００４２】
以上のようにして本発明を実施することができる。
即ち、図１及び図２に示すごとく、
一端が固定され、他端が固定されない自由端５６となるように設置され、引戸３の一部である戸車３８に接触して弾発力を発生する移動抑制部材５２と、
引戸３の一部である戸車３８が接触して移動抑制部材５２が変形した際に、移動抑制部材５２の自由端５６と接触する受け部５３ｂと、を有する、引戸３の移動抑制機構５とするものである。
【００４３】
これにより、移動する引戸３の移動速度を低下する機能と、閉鎖時の引戸３の跳ね返りを抑制する機能を兼ね備える移動抑制機構５を実現することができ、製造コストが安価で、ゴムなどと比較して長期間の耐用期間も実現され、さらに、移動抑制部材５２が受け部５３ｂで抑えられることで一方向に変形し続けてしまうことを防止できる。
【００４４】
なお、上述の実施例のほか、例えば、戸車３８を移動抑制部材５２に接触させる代わりに、引戸に移動抑制部材５２に対して接触させる接触部を別途設ける構成としてもよく、引戸の一部を移動抑制部材５２が接触させる構成であれば本発明を実施することができる。また、上述の実施例のように、引戸の上部に対して移動抑制部材５２を機能させる形態とするほか、引戸の下部に対して移動抑制部材５２を機能させる形態とすることも考えられる。
【００４５】
また、図５（Ａ）（Ｂ）に示すごとく、移動抑制部材５２は、台座部材５３の台座側固定部５３ａに固定されるものであり、台座部材５３には、台座側固定部５３ａとスペース５３ｄを空けて受け部５３ｂが設けられており、移動抑制部材５２が引戸３の一部である戸車３８に当って変形した際に、移動抑制部材５２の一部がスペース５３ｄに進入し得る構成としている。
【００４６】
これにより、台座部材５３について、台座側固定部５３ａと受け部５３ｂの機能を持たせることができるとともに、移動抑制部材５２の変形が妨げられることがなく、移動抑制部材５２の弾発力を十分に発揮させることができる。
【００４７】
また、図１、及び、図４（Ａ）（Ｂ）に示すように、台座部材５３の台座側固定部５３ａと受け部５３ｂは、引戸３の移動方向において対称に構成されており、移動抑制部材５２は台座側固定部５３ａと受け部５３ｂのいずれか一方に固定可能であり、移動抑制部材５２の自由端５６は、移動抑制部材５２が固定されていない台座側固定部５３ａ又は受け部５３ｂに対して当接可能に構成されることとしている。
【００４８】
これにより、移動抑制部材５２は適宜向きを変えて設置することができ、閉じる方向が異なるように設置される二つの引戸３，４について、共通の部品で対応することができる。
【産業上の利用可能性】
【００４９】
本発明の構成は、建物などに設置される引戸の移動速度を低下する機能と、閉鎖時の引戸の跳ね返りを抑制する機能を兼ね備える引戸の移動抑制機構として、幅広く適用することが可能である。
【符号の説明】
【００５０】
１    開口部装置
２    開口部枠
３    引戸
５    移動抑制機構
５２    移動抑制部材
５２ａ    固定部
５２ｂ    第一接触部
５２ｃ    第二接触部
５２ｆ    第一屈折部
５２ｇ    第二屈折部
５３    台座部材
５３ａ    台座側固定部
５３ｂ    台座側接触部
５３ｄ    スペース
５６    自由端
【図１】
2015132095.tif 000003
【図２】
2015132095.tif 000004
【図３】
2015132095.tif 000005
【図４】
2015132095.tif 000006
【図５】
2015132095.tif 000007